【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
登録されているコンテンツを限定公開するウェブシステムであって、
コンテンツを購入するためのカートに、限定公開された前記コンテンツを登録する登録要求を受け付ける登録要求受付手段と、
前記登録要求受付手段により登録要求を受け付けた前記コンテンツを特定可能な情報を管理する管理手段と、
前記登録要求受付手段により限定公開された前記コンテンツの登録要求を受け付けた後にセッションが切断されると、当該セッション切断後に表示される前記カートの画面において、当該セッション切断前に前記登録要求受付手段により登録要求を受け付けた限定公開の前記コンテンツであって、前記管理手段で管理する情報によって特定される前記コンテンツを表示しない前記カートの画面を生成するカート画面生成手段と
を備えることを特徴とするウェブシステム。
【請求項２】
前記ウェブシステムは、登録されているコンテンツを一般公開することも可能であり、
前記登録要求受付手段は、更に、一般公開された前記コンテンツを前記カートに登録する登録要求を受け付け、
前記カート画面生成手段は、前記登録要求受付手段により登録要求を受け付けたコンテンツが、一般公開の前記コンテンツである場合には、一般公開の前記コンテンツを表示した前記カートの画面を生成することを特徴とする請求項１記載のウェブシステム。
【請求項３】
前記ウェブシステムは、前記コンテンツに合言葉を設定して限定公開し、
設定された前記合言葉と同じ言葉の入力が行われた場合に、前記登録要求受付手段による限定公開の前記コンテンツの前記カートへの登録要求を可能とすることを特徴とする請求項１または２に記載のウェブシステム。
【請求項４】
前記カート画面生成手段は、限定公開の前記コンテンツを表示しない前記カートの画面を生成する際に、限定公開の前記コンテンツを表示しない要因をユーザが認識可能となるような前記カートの画面を生成することを特徴とする請求項１乃至３のいずれか１項に記載のウェブシステム。
【請求項５】
前記登録要求受付手段により限定公開された前記コンテンツの登録要求を受け付けた後にセッションが切断されると、当該セッション切断後に表示される前記カートの画面において、当該セッション切断前に前記登録要求受付手段により登録要求を受け付けた限定公開の前記コンテンツであって、前記管理手段で管理する情報によって特定される前記コンテンツの購入を受け付けないように制御する制御手段を備えることを特徴とする請求項１乃至４のいずれか１項に記載のウェブシステム。
【請求項６】
登録されているコンテンツを限定公開するウェブシステムの制御方法であって、
前記ウェブシステムの登録要求受付手段が、コンテンツを購入するためのカートに、限定公開された前記コンテンツを登録する登録要求を受け付ける登録要求受付工程と、
前記ウェブシステムの管理手段が、前記登録要求受付工程で登録要求を受け付けた前記コンテンツを特定可能な情報を管理する管理工程と、
前記ウェブシステムのカート画面生成手段が、前記登録要求受付工程で限定公開された前記コンテンツの登録要求を受け付けた後にセッションが切断されると、当該セッション切断後に表示される前記カートの画面において、当該セッション切断前に前記登録要求受付工程で登録要求を受け付けた限定公開の前記コンテンツであって、前記管理工程で管理する情報によって特定される前記コンテンツを表示しない前記カートの画面を生成するカート画面生成工程と
を備えることを特徴とするウェブシステムの制御方法。
【請求項７】
コンピュータを、請求項１乃至５のいずれか１項に記載のウェブシステムの各手段として機能させるためのコンピュータプログラム。
【手続補正２】
【補正対象書類名】明細書
【補正対象項目名】０００１
【補正方法】変更
【補正の内容】
【０００１】
ウェブシステム、ウェブシステムにおける制御方法、コンピュータプログラムに関し、限定公開されたコンテンツのカートへの登録要求を受け付けた後にセッションが切断されると、当該セッション切断後に表示されるカートの画面において、当該セッション切断前に登録要求を受け付けた限定公開のコンテンツを表示しないカートの画面を生成することにより、セキュリティを高める仕組みに関する。
【手続補正３】
【補正対象書類名】明細書
【補正対象項目名】０００９
【補正方法】変更
【補正の内容】
【０００９】
本発明は、限定公開されたコンテンツのカートへの登録要求を受け付けた後にセッションが切断されると、当該セッション切断後に表示されるカートの画面において、当該セッション切断前に登録要求を受け付けた限定公開のコンテンツを表示しないカートの画面を生成することにより、セキュリティを高めることを目的とする。
【手続補正４】
【補正対象書類名】明細書
【補正対象項目名】００１０
【補正方法】変更
【補正の内容】
【００１０】
本発明は、登録されているコンテンツを限定公開するウェブシステムであって、コンテンツを購入するためのカートに、限定公開された前記コンテンツを登録する登録要求を受け付ける登録要求受付手段と、前記登録要求受付手段により登録要求を受け付けた前記コンテンツを特定可能な情報を管理する管理手段と、前記登録要求受付手段により限定公開された前記コンテンツの登録要求を受け付けた後にセッションが切断されると、当該セッション切断後に表示される前記カートの画面において、当該セッション切断前に前記登録要求受付手段により登録要求を受け付けた限定公開の前記コンテンツであって、前記管理手段で管理する情報によって特定される前記コンテンツを表示しない前記カートの画面を生成するカート画面生成手段とを備えることを特徴とする。
【手続補正５】
【補正対象書類名】明細書
【補正対象項目名】００１１
【補正方法】変更
【補正の内容】
【００１１】
また、本発明は、登録されているコンテンツを限定公開するウェブシステムの制御方法であって、前記ウェブシステムの登録要求受付手段が、コンテンツを購入するためのカートに、限定公開された前記コンテンツを登録する登録要求を受け付ける登録要求受付工程と、前記ウェブシステムの管理手段が、前記登録要求受付工程で登録要求を受け付けた前記コンテンツを特定可能な情報を管理する管理工程と、前記ウェブシステムのカート画面生成手段が、前記登録要求受付工程で限定公開された前記コンテンツの登録要求を受け付けた後にセッションが切断されると、当該セッション切断後に表示される前記カートの画面において、当該セッション切断前に前記登録要求受付工程で登録要求を受け付けた限定公開の前記コンテンツであって、前記管理工程で管理する情報によって特定される前記コンテンツを表示しない前記カートの画面を生成するカート画面生成工程とを備えることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明によれば、限定公開されたコンテンツのカートへの登録要求を受け付けた後にセッションが切断されると、当該セッション切断後に表示されるカートの画面において、当該セッション切断前に登録要求を受け付けた限定公開のコンテンツを表示しないカートの画面を生成することにより、セキュリティを高めることができる。